(57)【要約】    【課題】  高ズーム比で、しかも全ズーム範囲にわたり高い光学性能が得られるコンパクトなズームレンズを得ること。    【解決手段】    物体側より像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４を有し、ズーミングに際して該第２、第４レンズ群Ｌ２、Ｌ４が移動するズームレンズであって、該第２、第３レンズ群Ｌ２、Ｌ３の焦点距離を各々ｆ２、ｆ３、広角端と望遠端における全系の焦点距離を各々ｆｗ、ｆｔとするとき【数１】2007271710.tif 000008      ５.４０＜  ｆ３／ｆｗ  ＜  １０.００なる条件を満足すること。【選択図】図１
2007271710.tif 000002
【特許請求の範囲】
【請求項１】
物体側より像側へ順に、正の屈折力の第１レンズ群、負の屈折力の第２レンズ群、正の屈折力の第３レンズ群、正の屈折力の第４レンズ群を有し、ズーミングに際して該第２、第４レンズ群が移動するズームレンズであって、該第２、第３レンズ群の焦点距離を各々ｆ２、ｆ３、広角端と望遠端における全系の焦点距離を各々ｆｗ、ｆｔとするとき
【数１】
2007271710.tif 000007
５.４０＜  ｆ３／ｆｗ  ＜  １０.００
なる条件を満足することを特徴とするズームレンズ。
【請求項２】
前記第２レンズ群は物体側より像側へ順に、像側が凹面でメニスカス形状の負レンズ、両凹形状の負レンズ、正レンズより成り、該メニスカス形状の負レンズの材料の屈折率をｎ２１とするとき
１.８５  ＜  ｎ２１  ＜  ２.０５
なる条件を満足することを特徴とする請求項１に記載のズームレンズ。
【請求項３】
前記第２レンズ群は物体側より像側へ順に、像側が凹面でメニスカス形状の負レンズ、両凹形状の負レンズ、正レンズ、両凹形状の負レンズより成り、該メニスカス形状の負レンズ２１の材料の屈折率をｎ２１とするとき
１.８５  ＜  ｎ２１  ＜  ２.０５
なる条件を満足することを特徴とする請求項１に記載のズームレンズ。
【請求項４】
前記第３レンズ群は、物体側より像側へ順に、両凸形状の正レンズ３１、物体側が凸面でメニスカス形状の負レンズ３２より成り、該正レンズ３１の物体側の面の曲率半径をＲ３１、中心肉厚をＤ３１とするとき、
０.２５  ＜  Ｄ３１／Ｒ３１  ＜  ０.５５
なる条件を満足することを特徴とする請求項１、２又は３に記載のズームレンズ。
【請求項５】
前記負レンズ３２の物体側の面の曲率半径をＲ３２ａ、像側の面の曲率半径をＲ３２ｂとするとき、
１.５０＜  Ｒ３２ａ／Ｒ３２ｂ  ＜  ３.９０
なる条件を満足することを特徴とする請求項１から４のいずれか１項に記載のズームレンズ。
【請求項６】
前記第４レンズ群は、フォーカスに際して移動し、望遠端において無限遠物体に合焦しているときの横倍率をβ４Ｔとするとき、
０.４０  ＜  β４Ｔ  ＜  ０.７０
なる条件を満足することを特徴とする請求項１から５のいずれか１項に記載のズームレンズ。
【請求項７】
前記第１レンズ群の焦点距離をｆ１とするとき、
０.２０  ＜  ｆ１／ｆｔ  ＜  ０.４０
なる条件を満足することを特徴とする請求項１から６のいずれか１項に記載のズームレンズ。
【請求項８】
固体撮像素子上に像を形成することを特徴とする請求項１から７のいずれか１項に記載のズームレンズ。
【請求項９】
請求項１から８のいずれか１項に記載のズームレンズと、該ズームレンズによって形成された像を受光する固体撮像素子を有していることを特徴とする撮像装置。
【発明の詳細な説明】
【技術分野】
【０００１】
本発明はズームレンズに関し、ビデオカメラ、デジタルスチルカメラ、放送用カメラ、銀塩写真用カメラ等の撮像装置用の撮影レンズに好適なものである。
【背景技術】
【０００２】
固体撮像素子を用いたビデオカメラ、デジタルスチルカメラ、そして銀塩フィルムを用いた銀塩写真用カメラ等の撮像装置に用いる撮影光学系として、コンパクトで高ズーム比のズームレンズが要求されている。
【０００３】
これらの要求を満足するズームレンズとして、物体側より像側へ順に、正、負、正、正の屈折力の第１〜第４レンズ群より成る４群ズームレンズが知られている。
【０００４】
このうち、第２レンズ群を移動させて変倍を行い、第４レンズ群にて変倍に伴う像面変動を補正すると共に、フォーカシングを行う所謂リアフォーカス式の４群ズームレンズが知られている（特許文献１〜４）。
【特許文献１】特開２００２−１８２１０９号公報
【特許文献２】特開２００２−２８７０２７号公報
【特許文献３】特開２０００−８９１１６号公報
【特許文献４】特開２０００−２２７５４８号公報
【発明の開示】
【発明が解決しようとする課題】
【０００５】
近年、撮像装置に用いるズームレンズには、高ズーム比で、かつレンズ系全体が小型であることが強く要望されている。
【０００６】
一般にズームレンズにおいて、それを構成する各レンズ群の屈折力を強めると、所定のズーム比を得るための変倍用のレンズ群の移動量が少なくなる。このため、高ズーム比化とレンズ全長を短縮化することができる。
【０００７】
しかしながら各レンズ群の屈折力を単に強めると、ズーミングに伴う収差変動が大きくなり、高ズーム比化を図る際には全ズーム範囲にわたり良好なる光学性能を得ることが難しくなってくる。
【０００８】
又、リアフォーカス方式を採用すると、レンズ系全体が小型化され、迅速なるフォーカスが可能となり、さらに近接撮影が容易となるなどの特徴が得られる。
【０００９】
しかしながら反面、フォーカスの際の収差変動が多くなり、無限遠物点から近距離物体に至る物体距離全体にわたり、高い光学性能を得るのが大変難しくなってくる。
【００１０】
又、高ズーム比化を図ろうとすると全ズーム範囲にわたり、高い光学性能を得るのが難しくなってくる。
【００１１】
このため、高ズーム比化とレンズ系全体の小型化を図るには、ズームタイプ、各レンズ群の屈折力そして各レンズ群のレンズ構成等を適切に設定することが重要になってくる。
【００１２】
本発明は、高ズーム比で、しかも全ズーム範囲にわたり高い光学性能が得られる小型のズームレンズ及びそれを有する撮像装置の提供を目的とする。
【課題を解決するための手段】
【００１３】
本発明のズームレンズは、物体側より像側へ順に、正の屈折力の第１レンズ群、負の屈折力の第２レンズ群、正の屈折力の第３レンズ群、正の屈折力の第４レンズ群を有し、ズーミングに際して該第２、第４レンズ群が移動するズームレンズであって、該第２、第３レンズ群の焦点距離を各々ｆ２、ｆ３、広角端と望遠端における全系の焦点距離を各々ｆｗ、ｆｔとするとき
【００１４】
【数１】
2007271710.tif 000003
【００１５】
５.４０＜  ｆ３／ｆｗ  ＜  １０.００
なる条件を満足することを特徴としている。
【発明の効果】
【００１６】
本発明によれば、高ズーム比で、しかも全ズーム範囲にわたり高い光学性能が得られるコンパクトなズームレンズが得られる。
【発明を実施するための最良の形態】
【００１７】
【実施例１】
【００１８】
以下、本発明のズームレンズ及びそれを有する撮像装置の実施例について説明する。
【００１９】
図１は本発明の実施例１のズームレンズの広角端（短焦点距離端）におけるレンズ断面図、図２、図３、図４はそれぞれ実施例１のズームレンズの広角端、中間のズーム位置、望遠端（長焦点距離端）における収差図である。
【００２０】
図５は本発明の実施例２のズームレンズの広角端におけるレンズ断面図、図６、図７、図８はそれぞれ実施例２のズームレンズの広角端、中間のズーム位置、望遠端における収差図である。
【００２１】
図９は本発明の実施例３のズームレンズの広角端におけるレンズ断面図、図１０、図１１、図１２はそれぞれ実施例３のズームレンズの広角端、中間のズーム位置、望遠端における収差図である。
【００２２】
図１３は本発明の実施例４のズームレンズの広角端におけるレンズ断面図、図１４、図１５、図１６はそれぞれ実施例４のズームレンズの広角端、中間のズーム位置、望遠端における収差図である。
【００２３】
図１７は本発明の実施例５のズームレンズの広角端におけるレンズ断面図、図１８、図１９、図２０はそれぞれ実施例５のズームレンズの広角端、中間のズーム位置、望遠端における収差図である。
【００２４】
図２１は本発明の実施例６のズームレンズの広角端におけるレンズ断面図、図２２、図２３、図２４はそれぞれ実施例６のズームレンズの広角端、中間のズーム位置、望遠端における収差図である。
【００２５】
図２５は本発明の実施例７のズームレンズの広角端におけるレンズ断面図、図２６、図２７、図２８はそれぞれ実施例７のズームレンズの広角端、中間のズーム位置、望遠端における収差図である。
【００２６】
図２９は本発明のズームレンズを備えるデジタルカメラ（撮像装置）の要部概略図である。各実施例のズームレンズは撮像装置に用いられる撮影レンズ系であり、レンズ断面図において、左方が物体側（前方）で、右方が像側（後方）である。
【００２７】
尚、各実施例のズームレンズをプロジェクター等の投射レンズとして用いるときは、左方がスクリーン、右方が被投射画像となる。レンズ断面図において、Ｌ１は正の屈折力（光学的パワー＝焦点距離の逆数）の第１レンズ群、Ｌ２は負の屈折力の第２レンズ群、Ｌ３は正の屈折力の第３レンズ群、Ｌ４は正の屈折力の第４レンズ群である。ＳＰは開口絞りであり、第３レンズ群Ｌ３の物体側に位置している。
【００２８】
Ｇは光学フィルター、フェースプレート等に相当する光学ブロックである。
【００２９】
ＩＰは像面であり、ビデオカメラやデジタルカメラの撮影光学系として使用する際にはＣＣＤセンサやＣＭＯＳセンサ等の固体撮像素子（光電変換素子）の撮像面が、銀塩フィルム用カメラの撮像光学系として使用する際にはフィルム面に相当する。
【００３０】
収差図において、ｄ、ｇは各々ｄ線及びｇ線、ΔＭ、ΔＳはメリディオナル像面、サジタル像面、倍率色収差はｇ線によって表している。
【００３１】
尚、以下の各実施例において広角端と望遠端は変倍用レンズ群（第２レンズ群Ｌ２）が機構上光軸上移動可能な範囲の両端に位置したときのズーム位置をいう。
【００３２】
各実施例では、広角端から望遠端へのズーミングに際して矢印のように、第２レンズ群Ｌ２を像側へ移動させて変倍を行うと共に、変倍に伴う像面変動を第４レンズ群Ｌ４を物体側に凸状の軌跡を有するよう移動させて補正している。
【００３３】
また、第４レンズ群Ｌ４を光軸上移動させてフォーカシングを行うリアフォーカス式を採用している。第４レンズ群Ｌ４に関する実線の曲線４ａと点線の曲線４ｂは、各々無限遠物体と近距離物体にフォーカスしているときの変倍に伴う像面変動を補正するための移動軌跡である。このように第４レンズ群Ｌ４を物体側へ凸状の軌跡とすることで第３レンズ群Ｌ３と第４レンズ群Ｌ４との間の空気の有効利用を図り、レンズ全長の短縮化を効果的に達成している。
【００３４】
又、望遠端において無限遠物体から近距離物体へフォーカスを行う場合には、矢印Ｆに示すように第４レンズ群Ｌ４を前方に繰り出すことで行っている。
【００３５】
尚、第１レンズ群Ｌ１と第３レンズ群Ｌ３、そして開口絞りＳＰは、ズーム及びフォーカスの為には光軸方向に移動しない。但し収差補正上必要に応じ移動させても良い。
【００３６】
次に各実施例のレンズ構成を説明する。以下、レンズ構成は特に断りがない限り、物体側から像側へ順に配置されている順に説明する。
【００３７】
第１レンズ群Ｌ１は物体側が凸面でメニスカス形状の負レンズ１１と正レンズ１２との接合レンズ、物体側が凸面でメニスカス形状の正レンズ１３より成っている。
【００３８】
第２レンズ群Ｌ２は、図５、図１７、図２１の実施例２、５、６では像側が凹面でメニスカス形状の負レンズ２１、両凹形状の負レンズ２２、正レンズ２３より成っている。
【００３９】
又、図１、図９、図１３、図２５の実施例１、３、４、７では、像側が凹面でメニスカス形状の負レンズ２１、両凹形状の負レンズ２２、正レンズ２３、両凹形状の負レンズ２４より成っている。これによってズーミングに伴う収差変動を良好に補正している。
【００４０】
第３レンズ群Ｌ３は両凸形状の正レンズ３１、物体側が凸面でメニスカス形状の負レンズ３２より成っている。
【００４１】
このとき正レンズ３１の両レンズ面は非球面形状である。
【００４２】
このときの２つの非球面のうち、少なくとも１つはレンズ中心からレンズ周辺に行くに従い正の屈折力が弱くなる非球面形状とするのが良い。
【００４３】
又、第３レンズ群Ｌ３中に非球面を設けるときには、なるべく物体側の正レンズ３１に設けるのが、収差を効果的に補正することができる。
【００４４】
特に広角端における軸上の球面収差を良好に補正することができる。最も物体側に設けるときの非球面形状はレンズ中心からレンズの周辺にいくにしたがって正の屈折力が弱くなる形状とするのが良い。
【００４５】
各実施例において、レンズ全系を小型にするには、正の屈折力の第３レンズ群Ｌ３で十分に光束径を細くすることが重要である。
【００４６】
各実施例のズームタイプのズームレンズではもともと第３レンズ群Ｌ３には第２レンズ群Ｌ２からの発散光が入ってくる傾向がある。このため入射光束を細くして射出するには、第３レンズ群Ｌ３の正の屈折力の負担が大きくなる。
【００４７】
そこで第３レンズ群Ｌ３の正レンズ３１の両面を非球面形状としている。これによって屈折力を強めても、収差を良好な状態に保つことができるようにして、かつ光束径を細くして射出している。
【００４８】
それにより、第３レンズ群Ｌ３と第４レンズ群Ｌ４の間隔をさらに縮めて、レンズ全系の小型化を図っている。
【００４９】
特に両レンズ面が非球面形状の正レンズ３１の物体側のレンズ面には発散光が入射し、該レンズ面で収斂して像面側のレンズ面には収斂光が入射するようにして、収差補正を良好に行なっている。
【００５０】
第４レンズ群Ｌ４は、正レンズ４１と、負レンズ４２の接合レンズにより成っている。このとき、正レンズ４１は両凸形状であり、負レンズ４２はメニスカス形状より構成している。これにより、第４レンズ群Ｌ４でフォーカスするときの色収差の変動を少なくしている。
【００５１】
各実施例においては、次の条件の１以上を満足するようにしている。これによって各条件に相当する効果を得ている。
【００５２】
第１、第２、第３レンズ群Ｌ１、Ｌ２、Ｌ３の焦点距離を順にｆ１、ｆ２、ｆ３、広角端と望遠端における全系（ズームレンズ全体）の焦点距離を各々ｆｗ、ｆｔとする。
【００５３】
負レンズ２１の材料の屈折率をｎ２１とする。
【００５４】
正レンズ３１の物体側の面の曲率半径をＲ３１、中心肉厚をＤ３１とする。負レンズ３２の物体側の面の曲率半径をＲ３２ａ、像側の面の曲率半径をＲ３２ｂとする。
【００５５】
望遠端において無限遠物体に合焦しているときの第４レンズ群Ｌ４の横倍率をβ４Ｔとする。
【００５６】
このとき
【００５７】
【数２】
2007271710.tif 000004
【００５８】
５.４０＜  ｆ３／ｆｗ  ＜  １０.００          ‥‥‥（２）
１.８５  ＜  ｎ２１  ＜  ２.０５              ‥‥‥（３）
０.２５  ＜  Ｄ３１／Ｒ３１  ＜  ０.５５      ‥‥‥（４）
１.５０＜  Ｒ３２ａ／Ｒ３２ｂ  ＜  ３.９０    ‥‥‥（５）
０.４０  ＜  β４Ｔ  ＜  ０.７０              ‥‥‥（６）
０.２０  ＜  ｆ１／ｆｔ  ＜  ０.４０          ‥‥‥（７）
なる条件のうち１以上を満足している。
【００５９】
次に前述の各条件式の技術的意味について説明する。
【００６０】
条件式（１）は小型で、高ズーム比のズームレンズを得るためのものである。条件式（１）の上限値を超えて第２レンズ群Ｌ２の焦点距離が長くなると、光学性能的には有利となる。
【００６１】
しかしながら、所望のズーム比を得るために第２レンズ群Ｌ２の移動量が大きくなり、レンズ全長及び前玉径が増大するのでよくない。
【００６２】
また、条件式（１）の下限値を超えて、第２レンズ群Ｌ２の焦点距離が短くなると、レンズ系全体の小型化には有利となる。しかしながら、ペッツバール和が負の方向に大きくなり像面がオーバーになり、良好な光学性能を保つのが困難となる。
【００６３】
条件式（２）は小型で光学性能の良いズームレンズを得るためのものである。
【００６４】
条件式（２）の上限値を超えて第３レンズ群Ｌ３の焦点距離が長くなると、第３レンズ群Ｌ３の正の屈折力の負荷が軽くなり、収差補正上は好ましい。しかしながらバックフォーカスが長くなりすぎて小型化が困難となる。
【００６５】
また、条件式（２）の下限値を超えて第３レンズ群Ｌ３の焦点距離が短くなると、正の屈折力の負担が大きくなり良好な光学性能、特に球面収差が悪化するので良くない。
【００６６】
条件式（３）の上限値を超えて負レンズ２１の材料の屈折率が大きくなると、像面彎曲の補正には有利になるが、実際に使用可能な材料が限られてくるので良くない。
【００６７】
条件式（３）の下限値を超えて負レンズ２１の材料の屈折率が小さくなると、ペッツバール和が負の方向に大きくなり像面がオーバーとなるため良くない。
【００６８】
条件式（４）の上限値を超えて正レンズ３１の中心肉厚が大きくなると、正レンズ３１の体積が大きくなり、重量が増してくる。更に、モールドにて成形する場合は成形タクトが長くなり、製造上不利となるため良くない。
【００６９】
また第３レンズ群Ｌ３の小型化にも不利となる。
【００７０】
条件式（４）の下限値を超えて正レンズ３１の中心肉厚が小さくなると、軸外光線が像側のレンズ面で屈曲するときの光軸からの高さが低くなり、軸外コマ収差が補正不足となる。
【００７１】
特に像側のレンズ面を非球面形状とした場合、レンズ周辺での非球面形状による曲率変化が比較的大きい領域において軸外コマ収差の補正作用が弱まるため良くない。
【００７２】
条件式（５）の上限値を超えて、レンズ形状が変化すると、第３レンズ群Ｌ３の後側主点位置が物体側へよりすぎて第３レンズ群Ｌ３と第４レンズ群Ｌ４の間隔が短くなる。この結果、ズーミング及びフォーカシングのために移動する第４レンズ群Ｌ４の移動スペースを十分確保することができなくなる。
【００７３】
条件式（５）の下限値を超えて、レンズ形状が変化すると、第３レンズ群Ｌ３の後側主点位置を物体側に移動させて小型化する効果が薄れ、レンズ全長が大型化してくる。
【００７４】
条件式（６）は、フォーカシングによる収差変動を少なくし、小型化を図るためのものである。
【００７５】
条件式（６）の上限値を超えて第４レンズ群Ｌ４の横倍率が大きくなると、第４レンズ群Ｌ４のフォーカス敏感度が低下してくる。このため、近距離物体にフォーカスするときの第４レンズ群Ｌ４の繰出し量が大きくなり、第３レンズ群Ｌ３と第４レンズ群Ｌ４の間隔を短縮することができず、小型化が難しくなる。
【００７６】
また、フォーカスするときの移動量が大きくなると、フォーカスによる収差変動が大きくなるため良くない。
【００７７】
また、条件式（６）の下限値を超えて横倍率が小さくなると、バックフォーカスが長くなり、レンズ全長が増大してくるため良くない。
【００７８】
条件式（７）の上限値を超えて第１レンズ群Ｌ１の焦点距離が大きくなると、レンズ全系の焦点距離が長くなり、所望の焦点距離範囲を確保することが困難となるため良くない。
【００７９】
また、条件式（７）の下限値を超えて第１レンズ群Ｌ１の焦点距離が小さくなると、第１レンズ群Ｌ１の屈折力の負荷が大きくなり、特に望遠端において球面収差が悪化するため良くない。
【００８０】
尚、各実施例において、前述の各条件式の数値範囲を次の如く設定すると更に好ましい。
【００８１】
【数３】
2007271710.tif 000005
【００８２】
５.５０＜  ｆ３／ｆｗ  ＜  ９.９０            ‥‥‥（２ａ）
１.８８  ＜  ｎ２１  ＜  ２.０２              ‥‥‥（３ａ）
０.３０  ＜  Ｄ３１／Ｒ３１  ＜  ０.５０      ‥‥‥（４ａ）
１.６０＜  Ｒ３２ａ／Ｒ３２ｂ  ＜  ３.７０    ‥‥‥（５ａ）
０.４５  ＜  β４Ｔ  ＜  ０.６３              ‥‥‥（６ａ）
０.２４  ＜  ｆ１／ｆｔ  ＜  ０.３３          ‥‥‥（７ａ）
尚、各実施例において、第１レンズ群Ｌ１の物体側や第４レンズ群Ｌ４の像側に屈折力の小さなレンズ群を付加しても良い。
【００８３】
又、テレコンバーターレンズやワイドコンバーターレンズ等を物体側や像側に配置しても良い。
【００８４】
以上のように各実施例によれば、レンズ全系を小型化し、高ズーム比にも関わらず高い光学性能を有したズームレンズが得られる。
【００８５】
この他、リアフォーカス方式を採用しつつ、ズーム比３０倍〜４０倍と高ズーム比でかつ広角端から望遠端に至るズーム領域全般にわたり、良好なる光学性能を有したズームレンズが得られる。
【００８６】
又、第１レンズ群Ｌ１をズーミングのためには不動としているためメカ機構が簡単となる。
【００８７】
又、ズーム比が３０倍から４０倍と高いにも関わらず、全ズーム範囲にわたり高い光学性能を有し、かつＦナンバーが１.６８〜１.８と大口径比のズームレンズが得られる。
【００８８】
次に、各実施例に対応する数値実施例を示す。各数値実施例においてｉは物体側からの面の順序を示し、Ｒｉは第ｉ番目の面（第ｉ面）の曲率半径、Ｄｉは第ｉ面と第ｉ＋１面との間隔、Ｎｉ、νｉはそれぞれｄ線を基準とした屈折率、アッベ数を示す。
【００８９】
また、各数値実施例において最も像側の２面は光学ブロックＧに相当する平面である。また、ｋ、Ｂ’、Ｃ’、Ｄ’、Ｅ’、Ｆ’は非球面係数である。
【００９０】
非球面形状は光軸からの高さｈの位置での光軸方向の変位を面頂点を基準にしてｘとするとき
ｘ＝（ｈ２／Ｒ）／［１＋｛１−（１＋ｋ）（ｈ／Ｒ）２｝１／２］＋Ｂ’ｈ５＋Ｃ’ｈ７＋Ｄ’ｈ９＋Ｅ’ｈ１１＋Ｆ’ｈ１３
で表される。但しＲは近軸曲率半径である。
【００９１】
また、例えば「ｅ−Ｚ」の表示は「１０-Ｚ」を意味する。
【００９２】
又、前述の各条件式と各数値実施例との関係を（表１）に示す。
【００９３】
数値実施例１
f= 3.50 - 112.00  Fno= 1.68 - 4.36  2ω= 65.5° - 2.3° 
R 1 =   56.321      D 1 =  1.50      N 1 = 1.846660      ν 1 = 23.9
R 2 =   26.582      D 2 =  6.20      N 2 = 1.696797      ν 2 = 55.5
R 3 = -374.018      D 3 =  0.20
R 4 =   23.782      D 4 =  3.15      N 3 = 1.772499      ν 3 = 49.6
R 5 =   47.054      D 5 =  可変
R 6 =   22.239      D 6 =  0.75      N 4 = 2.003300      ν 4 = 28.3
R 7 =    5.022      D 7 =  3.91
R 8 =  -14.281      D 8 =  0.65      N 5 = 1.882997      ν 5 = 40.8
R 9 =  102.016      D 9 =  0.20
R10 =   11.132      D10 =  2.95      N 6 = 1.846660      ν 6 = 23.9
R11 =  -11.537      D11 =  0.08
R12 =  -10.573      D12 =  0.65      N 7 = 1.729157      ν 7 = 54.7
R13 =   19.431      D13 =  可変
R14 =    絞り       D14 =  0.70
R15 =    9.201      D15 =  4.50      N 8 = 1.583126      ν 8 = 59.4
R16 =  -19.304      D16 =  0.20
R17 =   39.696      D17 =  0.85      N 9 = 1.761821      ν 9 = 26.5
R18 =   10.825      D18 =  可変
R19 =   13.587      D19 =  3.25      N10 = 1.517417      ν10 = 52.4
R20 =   -7.345      D20 =  0.65      N11 = 1.846660      ν11 = 23.9
R21 =  -13.328      D21 =  可変
R22 =    ∞         D22 =  2.80      N12 = 1.516800      ν12 = 64.2
R23 =    ∞
焦点距離   3.50    38.75   112.00
可変間隔 
D 5           0.20    21.04     12.46
D13          26.02     5.18     13.76
D18           9.92     2.95      5.86
D21           7.22    14.19     11.28
非球面係数
R15 k =-1.00230e+00 B'=1.07757e-05 C'=-1.13170e-07 D'= 7.24013e-09
E'=-7.41111e-11 
R16 k =-1.17758e+01 B'=6.34651e-06 C'= 3.18741e-07 D'=-4.71464e-09
E'= 1.12538e-11 
【００９４】
数値実施例２
f= 2.61 - 95.02  Fno= 1.85 - 5.25  2ω= 55.5° - 1.6° 
R 1 =   45.638      D 1 =  1.00      N 1 = 1.846660      ν 1 = 23.9
R 2 =   21.043      D 2 =  5.35      N 2 = 1.696797      ν 2 = 55.5
R 3 =-1169.611      D 3 =  0.20
R 4 =   19.993      D 4 =  2.60      N 3 = 1.772499      ν 3 = 49.6
R 5 =   44.382      D 5 =  可変
R 6 =   21.818      D 6 =  0.60      N 4 = 1.882997      ν 4 = 40.8
R 7 =    5.312      D 7 =  1.85
R 8 =  -22.586      D 8 =  0.60      N 5 = 1.772499      ν 5 = 49.6
R 9 =    5.165      D 9 =  1.04
R10 =    6.758      D10 =  1.45      N 6 = 1.922860      ν 6 = 18.9
R11 =   14.080      D11 =  可変
R12 =    絞り       D12 =  0.90
R13 =   13.082      D13 =  4.00      N 7 = 1.583126      ν 7 = 59.4
R14 =  -19.955      D14 =  0.20
R15 =   21.446      D15 =  0.65      N 8 = 1.846660      ν 8 = 23.9
R16 =   12.693      D16 =  可変
R17 =   21.916      D17 =  3.40      N 9 = 1.658441      ν 9 = 50.9
R18 =   -5.273      D18 =  0.60      N10 = 1.846660      ν10 = 23.9
R19 =   -9.872      D19 =  可変
R20 =    ∞         D20 =  2.40      N11 = 1.514000      ν11 = 60.0
R21 =    ∞
焦点距離   2.61    29.88    95.02
可変間隔 
D 5           0.71    17.77     10.74
D11          21.22     4.17     11.19
D16           7.69     3.29      5.14
D19           7.50    11.90     10.06
非球面係数
R13 k= 2.05908e+00 B'=-5.25228e-05 C'=-6.53835e-07 D'=1.04425e-07
R14 k=-2.53500e+01 B'=-2.12501e-05 C'=-2.54466e-07 D'=1.12204e-07
【００９５】
数値実施例３
f= 3.60 - 112.50  Fno= 1.68 - 4.44  2ω= 64.0° - 2.3° 
R 1 =   61.127      D 1 =  1.50      N 1 = 1.846660      ν 1 = 23.9
R 2 =   25.536      D 2 =  6.20      N 2 = 1.696797      ν 2 = 55.5
R 3 = -273.688      D 3 =  0.20
R 4 =   22.963      D 4 =  3.05      N 3 = 1.772499      ν 3 = 49.6
R 5 =   52.107      D 5 =  可変
R 6 =   37.197      D 6 =  0.75      N 4 = 1.882997      ν 4 = 40.8
R 7 =    5.486      D 7 =  3.47
R 8 =  -15.898      D 8 =  0.65      N 5 = 1.882997      ν 5 = 40.8
R 9 =   33.681      D 9 =  0.66
R10 =   10.745      D10 =  2.95      N 6 = 1.846660      ν 6 = 23.9
R11 =  -12.951      D11 =  0.17
R12 =  -10.573      D12 =  0.65      N 7 = 1.804000      ν 7 = 46.6
R13 =   19.431      D13 =  可変
R14 =    絞り       D14 =  0.70
R15 =    9.052      D15 =  4.50      N 8 = 1.583126      ν 8 = 59.4
R16 =  -20.771      D16 =  0.20
R17 =   25.746      D17 =  0.85      N 9 = 1.761821      ν 9 = 26.5
R18 =    9.120      D18 =  可変
R19 =   13.623      D19 =  3.35      N10 = 1.517417      ν10 = 52.4
R20 =   -7.637      D20 =  0.65      N11 = 1.846660      ν11 = 23.9
R21 =  -13.199      D21 =  可変
R22 =    ∞         D22 =  2.80      N12 = 1.516800      ν12 = 64.2
R23 =    ∞
焦点距離   3.60    39.66    112.50
可変間隔 
D 5            0.90    19.79     12.01
D13           24.61     5.71     13.49
D18           11.77     3.82      7.34
D21            8.11    16.06     12.54
非球面係数
R15 k =-8.47206e-01 B'=-2.11561e-06 C'=9.81895e-08 D'=1.65543e-09
E'=-3.20431e-11 
R16 k =-1.49014e+01 B'=-1.77382e-06 C'=1.94473e-07 D'=1.58187e-09
E'=-6.92247e-11 
【００９６】
数値実施例４
f= 3.59 - 120.00  Fno= 1.68 - 4.74  2ω= 64.2° - 2.1° 
R 1 =   60.821      D 1 =  1.50      N 1 = 1.846660      ν 1 = 23.9
R 2 =   25.485      D 2 =  6.20      N 2 = 1.696797      ν 2 = 55.5
R 3 = -275.319      D 3 =  0.20
R 4 =   22.950      D 4 =  3.05      N 3 = 1.772499      ν 3 = 49.6
R 5 =   52.092      D 5 =  可変
R 6 =   37.071      D 6 =  0.75      N 4 = 1.882997      ν 4 = 40.8
R 7 =    5.436      D 7 =  3.50
R 8 =  -16.302      D 8 =  0.65      N 5 = 1.882997      ν 5 = 40.8
R 9 =   30.449      D 9 =  0.57
R10 =   10.631      D10 =  2.95      N 6 = 1.846660      ν 6 = 23.9
R11 =  -12.962      D11 =  0.17
R12 =  -10.505      D12 =  0.65      N 7 = 1.804000      ν 7 = 46.6
R13 =   20.298      D13 =  可変
R14 =    絞り       D14 =  0.70
R15 =    9.085      D15 =  4.50      N 8 = 1.583126      ν 8 = 59.4
R16 =  -20.539      D16 =  0.20
R17 =   25.517      D17 =  0.85      N 9 = 1.761821      ν 9 = 26.5
R18 =    9.112      D18 =  可変
R19 =   13.815      D19 =  3.18      N10 = 1.517417      ν10 = 52.4
R20 =   -7.656      D20 =  0.65      N11 = 1.846660      ν11 = 23.9
R21 =  -13.169      D21 =  可変
R22 =    ∞         D22 =  2.80      N12 = 1.516800      ν12 = 64.2
R23 =    ∞
焦点距離    3.59    40.39    120.00
可変間隔 
D 5             0.87    19.82     12.02
D13            24.57     5.62     13.42
D18            11.79     3.71      7.29
D21             8.20    16.28     12.69
非球面係数
R15 k =-9.03299e-01 B'= 2.81609e-07 C'=3.81204e-08 D'=-4.01923e-10
E'= 1.53663e-11 
R16 k= -1.39531e+01 B'=-5.66388e-07 C'=1.18648e-07 D'=-5.80130e-10
E'=-4.32554e-12 
【００９７】
数値実施例５
f= 2.74 - 95.55  Fno= 1.85 - 5.45  2ω= 53.1° - 1.6° 
R 1 =   45.416      D 1 =  1.00      N 1 = 1.846660      ν 1 = 23.9
R 2 =   20.433      D 2 =  5.00      N 2 = 1.696797      ν 2 = 55.5
R 3 = -787.092      D 3 =  0.20
R 4 =   19.456      D 4 =  3.00      N 3 = 1.772499      ν 3 = 49.6
R 5 =   43.947      D 5 =  可変
R 6 =   16.412      D 6 =  0.60      N 4 = 1.882997      ν 4 = 40.8
R 7 =    4.973      D 7 =  2.20
R 8 =   -9.382      D 8 =  0.60      N 5 = 1.772499      ν 5 = 49.6
R 9 =    6.380      D 9 =  1.20
R10 =    9.401      D10 =  1.45      N 6 = 1.922860      ν 6 = 18.9
R11 =   50.580      D11 =  可変
R12 =    絞り       D12 =  0.91
R13 =   11.459      D13 =  4.00      N 7 = 1.583126      ν 7 = 59.4
R14 =  -24.673      D14 =  0.20
R15 =   43.385      D15 =  0.65      N 8 = 1.846660      ν 8 = 23.9
R16 =   16.360      D16 =  可変
R17 =   18.029      D17 =  3.50      N 9 = 1.658441      ν 9 = 50.9
R18 =   -5.531      D18 =  0.60      N10 = 1.846660      ν10 = 23.9
R19 =  -10.537      D19 =  可変
R20 =    ∞         D20 =  2.40      N11 = 1.514000      ν11 = 60.0
R21 =    ∞
焦点距離    2.74    30.86     95.55
可変間隔 
D 5            1.01    16.85     10.32
D11           19.64     3.80     10.32
D16            5.84     2.17      3.48
D19            7.94    11.61     10.30
非球面係数
R13 k = 8.76070e-01 B'=2.17089e-05 C'=-2.70041e-06 D'=1.08297e-07
E'=-1.00150e-09 
R14 k =-5.16592e+01 B'=5.99119e-05 C'=-2.21461e-06 D'=1.00662e-07
E'=-1.45121e-09 
【００９８】
数値実施例６
f= 2.74 - 95.01  Fno= 1.85 - 5.25  2ω= 53.1° - 1.6° 
R 1 =   45.849      D 1 =  1.00      N 1 = 1.846660      ν 1 = 23.9
R 2 =   20.470      D 2 =  5.00      N 2 = 1.696797      ν 2 = 55.5
R 3 = -544.191      D 3 =  0.20
R 4 =   19.529      D 4 =  3.00      N 3 = 1.772499      ν 3 = 49.6
R 5 =   44.823      D 5 =  可変
R 6 =   16.909      D 6 =  0.60      N 4 = 1.882997      ν 4 = 40.8
R 7 =    5.150      D 7 =  2.20
R 8 =  -10.619      D 8 =  0.60      N 5 = 1.772499      ν 5 = 49.6
R 9 =    5.822      D 9 =  1.47
R10 =    8.987      D10 =  1.45      N 6 = 1.922860      ν 6 = 18.9
R11 =   33.296      D11 =  可変
R12 =    絞り       D12 =  0.91
R13 =   12.762      D13 =  3.95      N 7 = 1.583126      ν 7 = 59.4
R14 =  -32.430      D14 =  0.20
R15 =   31.400      D15 =  0.65      N 8 = 1.846660      ν 8 = 23.9
R16 =   14.837      D16 =  可変
R17 =   16.880      D17 =  3.50      N 9 = 1.658441      ν 9 = 50.9
R18 =   -5.688      D18 =  0.60      N10 = 1.846660      ν10 = 23.9
R19 =  -10.705      D19 =  可変
R20 =    ∞         D20 =  2.40      N11 = 1.514000      ν11 = 60.0
R21 =    ∞
焦点距離   2.74    30.30     95.01
可変間隔
D 5            1.20    16.69     10.31
D11           19.96     4.48     10.85
D16            5.82     2.51      3.60
D19            8.90    12.20     11.12
非球面係数
R13 k = 1.77690e+00 B'=3.27860e-05 C'=-4.62233e-06 D'=1.51961e-07
E'=-1.05380e-09 
R14 k =-1.12413e+02 B'=7.80091e-05 C'=-3.85788e-06 D'=1.17246e-07
E'=-1.36412e-09 
【００９９】
数値実施例７
f= 3.67 - 143.00  Fno= 1.68 - 5.00  2ω= 63.0° - 1.8° 
R 1 =   63.484      D 1 =  1.50      N 1 = 1.846660      ν 1 = 23.9
R 2 =   26.504      D 2 =  7.00      N 2 = 1.696797      ν 2 = 55.5
R 3 = -214.397      D 3 =  0.20
R 4 =   22.879      D 4 =  3.50      N 3 = 1.772499      ν 3 = 49.6
R 5 =   47.830      D 5 =  可変
R 6 =   39.809      D 6 =  0.75      N 4 = 1.882997      ν 4 = 40.8
R 7 =    5.299      D 7 =  3.42
R 8 =  -15.045      D 8 =  0.65      N 5 = 1.882997      ν 5 = 40.8
R 9 =   30.459      D 9 =  0.65
R10 =   10.221      D10 =  3.05      N 6 = 1.846660      ν 6 = 23.9
R11 =  -13.045      D11 =  0.18
R12 =  -10.178      D12 =  0.65      N 7 = 1.804000      ν 7 = 46.6
R13 =   19.664      D13 =  可変
R14 =    絞り       D14 =  0.70
R15 =    9.091      D15 =  4.50      N 8 = 1.583126      ν 8 = 59.4
R16 =  -19.855      D16 =  0.20
R17 =   26.027      D17 =  0.85      N 9 = 1.761821      ν 9 = 26.5
R18 =    9.063      D18 =  可変
R19 =   13.221      D19 =  3.50      N10 = 1.517417      ν10 = 52.4
R20 =   -7.528      D20 =  0.65      N11 = 1.846660      ν11 = 23.9
R21 =  -13.110      D21 =  可変
R22 =    ∞         D22 =  2.80      N12 = 1.516800      ν12 = 64.2
R23 =    ∞
焦点距離   3.67    43.95    143.00
可変間隔 
D 5            1.41    20.31     12.53
D13           23.73     4.83     12.62
D18           14.01     4.34      8.97
D21            8.06    17.73     13.10
非球面係数
R15 k =-8.64618e-01 B'=6.79782e-06 C'=-2.97020e-07 D'=7.35589e-09
E'=-5.10915e-11 
R16 k =-1.51083e+01 B'=-8.75843e-07 C'=1.51853e-07 D'=-1.60040e-09
E'=8.42419e-12  F'=-4.23060e-31
【０１００】
【表１】
2007271710.tif 000006
【０１０１】
次に本発明のズームレンズを撮影光学系として用いたデジタルカメラ（光学機器）の実施形態を図２９を用いて説明する。
【０１０２】
図２９において、２０はデジタルカメラ本体、２１は上述の実施形態のズームレンズによって構成された撮影光学系、２２は撮影光学系２１によって被写体像を受光するＣＣＤ等の撮像素子である。
２３は撮像素子２２が受光した被写体像を記録する記録手段、２４は不図示の表示素子に表示された被写体像を観察するためのファインダーである。
【０１０３】
上記表示素子は液晶パネル等によって構成され、撮像素子２２上に形成された被写体像が表示される。
２５は、前記ファインダーと同等の機能を有する液晶表示パネルである。
【０１０４】
このように本発明のズームレンズをデジタルカメラ等の光学機器に適用することにより、小型で高い光学性能を有する光学機器を実現している。
【図面の簡単な説明】
【０１０５】
【図１】実施例１のズームレンズの広角端におけるレンズ断面図
【図２】実施例１のズームレンズの広角端における諸収差図
【図３】実施例１のズームレンズの中間のズーム位置における諸収差図
【図４】実施例１のズームレンズの望遠端における諸収差図
【図５】実施例２のズームレンズの広角端におけるレンズ断面図
【図６】実施例２のズームレンズの広角端における諸収差図
【図７】実施例２のズームレンズの中間のズーム位置における諸収差図
【図８】実施例２のズームレンズの望遠端における諸収差図
【図９】実施例３のズームレンズの広角端におけるレンズ断面図
【図１０】実施例３のズームレンズの広角端における諸収差図
【図１１】実施例３のズームレンズの中間のズーム位置における諸収差図
【図１２】実施例３のズームレンズの望遠端における諸収差図
【図１３】実施例４のズームレンズの広角端におけるレンズ断面図
【図１４】実施例４のズームレンズの広角端における諸収差図
【図１５】実施例４のズームレンズの中間のズーム位置における諸収差図
【図１６】実施例４のズームレンズの望遠端における諸収差図
【図１７】実施例５のズームレンズの広角端におけるレンズ断面図
【図１８】実施例５のズームレンズの広角端における諸収差図
【図１９】実施例５のズームレンズの中間のズーム位置における諸収差図
【図２０】実施例５のズームレンズの望遠端における諸収差図
【図２１】実施例６のズームレンズの広角端におけるレンズ断面図
【図２２】実施例６のズームレンズの広角端における諸収差図
【図２３】実施例６のズームレンズの中間のズーム位置における諸収差図
【図２４】実施例６のズームレンズの望遠端における諸収差図
【図２５】実施例７のズームレンズの広角端におけるレンズ断面図
【図２６】実施例７のズームレンズの広角端における諸収差図
【図２７】実施例７のズームレンズの中間のズーム位置における諸収差図
【図２８】実施例７のズームレンズの望遠端における諸収差図
【図２９】本発明の撮像装置の要部概略図
【符号の説明】
【０１０６】
Ｌ１        第１レンズ群
Ｌ２        第２レンズ群
Ｌ３        第３レンズ群
Ｌ４        第４レンズ群
ＳＰ        絞り
ＩＰ        像面
ｄ          ｄ線
ｇ          ｇ線
ΔＭ        メリディオナル像面
ΔＳ        サジタル像面
Ｇ          ガラスブロック
【図１】
2007271710.tif 000009
【図２】
2007271710.tif 000010
【図３】
2007271710.tif 000011
【図４】
2007271710.tif 000012
【図５】
2007271710.tif 000013
【図６】
2007271710.tif 000014
【図７】
2007271710.tif 000015
【図８】
2007271710.tif 000016
【図９】
2007271710.tif 000017
【図１０】
2007271710.tif 000018
【図１１】
2007271710.tif 000019
【図１２】
2007271710.tif 000020
【図１３】
2007271710.tif 000021
【図１４】
2007271710.tif 000022
【図１５】
2007271710.tif 000023
【図１６】
2007271710.tif 000024
【図１７】
2007271710.tif 000025
【図１８】
2007271710.tif 000026
【図１９】
2007271710.tif 000027
【図２０】
2007271710.tif 000028
【図２１】
2007271710.tif 000029
【図２２】
2007271710.tif 000030
【図２３】
2007271710.tif 000031
【図２４】
2007271710.tif 000032
【図２５】
2007271710.tif 000033
【図２６】
2007271710.tif 000034
【図２７】
2007271710.tif 000035
【図２９】
2007271710.tif 000036
【図２８】
2007271710.tif 000037